(57)【要約】【課題】着用者の顔面のほぼ総てを覆うシールド部材を帽体に設けた保護帽において、大型化や質量が増加することを極力抑制することができる保護帽を提供する。【解決手段】耳を覆う耳部７が設けられていると共に、前側のみを大きく形成した椀状の帽体３と、帽体３の前側の内面に沿った曲面を備えた板状に形成され帽体３の耳部７に形成されたガイド部１３に係合する係合部１１を備え、この係合部１１がガイド部１３に係合することにより、係合部１１を中心として、帽体３の前側の内部に収納される収納位置Ｐ１と帽体３の着用者の顔面のほぼ総てを覆う被覆位置Ｐ３との間で回動するシールド板５とを有する保護帽１である。【選択図】図１
2010163726.tif 000002
【特許請求の範囲】
【請求項１】
耳を覆う耳部が設けられていると共に、前側のみを大きく形成した椀状の帽体と；
透明体もしくは半透明体に形成され、前記帽体の前側の内面に沿った曲面を備えた板状に形成され、前記帽体の耳部に形成されたガイド部に係合する係合部を備え、この係合部が前記ガイド部に係合することにより、前記係合部を中心として、前記帽体の前側の内部に収納される収納位置と前記帽体の着用者の顔面のほぼ総てを覆う被覆位置との間で回動するシールド板と；
を有することを特徴とする保護帽。
【請求項２】
請求項１に記載の保護帽において、
前記シールド板の回動中心の位置を調整自在に構成してあることを特徴とする保護帽。
【請求項３】
請求項１または請求項２に記載の保護帽において、
前記帽体の前側の内部で前記帽体に一体的に設けられた内側部材を備え、
前記シールド板は、前記帽体と前記内側部材とで形成された空間内に入り込んで、前記帽体内に収納されるように構成されていることを特徴とする保護帽。
【請求項４】
耳を覆う耳部が設けられている椀状の帽体と；
透明体もしくは半透明体に形成され、前記帽体の前側の外面に沿った曲面を備えた板状に形成され、前記帽体の耳部に形成されたガイド部に係合する係合部を備え、この係合部が前記ガイド部に係合することにより、前記係合部を中心として、前記帽体の前側の外部に押し上げられた押し上げ位置と前記帽体の着用者の顔面のほぼ上半分を覆う被覆位置との間で回動する第１のシールド板と；
前記帽体の前側の外面に沿った曲面を備えた板状に形成され、前記帽体の耳部に形成されたガイド部に係合する係合部を備え、この係合部が前記ガイド部に係合することにより、前記係合部を中心として、前記第１のシールド板の外側に位置して、前記押し上げ位置に位置している第１のシールド部材を覆う押し上げ位置と前記帽体の着用者の顔面のほぼ下半分を覆う被覆位置との間で回動する第２のシールド板と；
を有することを特徴とする保護帽。
【請求項５】
請求項１〜請求項４のいずれか１項に記載の保護帽において、
前記シールド部材は、本体部と庇部とを備えて構成されており、
前記本体部が、球状に湾曲した板状に形成されており、
前記庇部は、前記本体部の下方で本体部とは反対側に曲がって突出していることを特徴とする保護帽。
【発明の詳細な説明】
【技術分野】
【０００１】
本発明は、保護帽に係り、特に、着用者の顔面を覆うシールド板が設けられているものに関する。
【背景技術】
【０００２】
従来、住宅の建築作業中に、釘打機で釘が跳ね返り作業者の目に刺さる等の事故対策として、作業者の目（顔の上部）を保護するシールド（シールド板）付き保護帽（ヘルメット）が知られている。シールド板の取り付け方式として、保護帽の帽体の外部に取り付ける方式と、保護帽の帽体の内部に収納自在に取り付ける方式とがあるが、外部取り付け式では、シールド板の設置忘れや作業の邪魔になるので、シールド板の不使用時にシールド板が帽体の内部に収納される内部取り付け式が好まれている。
【０００３】
内部取り付け式の保護帽として、たとえば、特許文献１に記載の保護帽を掲げることができる。
【０００４】
特許文献１に記載の保護帽は、ヘルメットの帽体の前頭部の表面（外面）に弧状のガイド部を設けて、顔面シールド（シールド板）のほぼ中央部に設けたスライド部材で、シールド部材をガイドして移動するように構成されている。
【先行技術文献】
【特許文献】
【０００５】
【特許文献１】特開２００３−０８２５１８号公報
【発明の概要】
【発明が解決しようとする課題】
【０００６】
ところで、電気機器のメンテナンス等においては、電気機器からごく僅かな確率でスパークが発生することがあり、着用者の顔全体をシールド板で覆って保護する必要がある。上記特許文献１に記載の保護帽を着用すれば、シールド板で、着用者の顔全体をほぼ覆うことができる。
【０００７】
しかし、上記特許文献１に記載の保護帽では、シールド板で着用者の顔全体を覆う場合、帽体の外部に長いガイド部を設ける等の構成を採用しなければならず、これにより保護帽が大型化すると共に、保護帽の質量が増加してしまうという問題がある。
【０００８】
本発明は、前記問題点に鑑みてなされたものであり、着用者の顔面のほぼ総てを覆うシールド部材を帽体に設けた保護帽において、大型化や質量が増加することを極力抑制することができる保護帽を提供することを目的とする。
【課題を解決するための手段】
【０００９】
請求項１に記載の発明は、耳を覆う耳部が設けられていると共に、前側のみを大きく形成した椀状の帽体と、透明体もしくは半透明体に形成され、前記帽体の前側の内面に沿った曲面を備えた板状に形成され、前記帽体の耳部に形成されたガイド部に係合する係合部を備え、この係合部が前記ガイド部に係合することにより、前記係合部を中心として、前記帽体の前側の内部に収納される収納位置と前記帽体の着用者の顔面のほぼ総てを覆う被覆位置との間で回動するシールド板と  を有する保護帽である。
【００１０】
請求項２に記載の発明は、請求項１に記載の保護帽において、前記シールド板の回動中心の位置を調整自在に構成してある保護帽である。
【００１１】
請求項３に記載の発明は、請求項１または請求項２に記載の保護帽において、前記帽体の前側の内部で前記帽体に一体的に設けられた内側部材を備え、前記シールド板は、前記帽体と前記内側部材とで形成された空間内に入り込んで、前記帽体内に収納されるように構成されている保護帽である。
【００１２】
請求項４に記載の発明は、耳を覆う耳部が設けられている椀状の帽体と、透明体もしくは半透明体に形成され、前記帽体の前側の外面に沿った曲面を備えた板状に形成され、前記帽体の耳部に形成されたガイド部に係合する係合部を備え、この係合部が前記ガイド部に係合することにより、前記係合部を中心として、前記帽体の前側の外部に押し上げられた押し上げ位置と前記帽体の着用者の顔面のほぼ上半分を覆う被覆位置との間で回動する第１のシールド板と、前記帽体の前側の外面に沿った曲面を備えた板状に形成され、前記帽体の耳部に形成されたガイド部に係合する係合部を備え、この係合部が前記ガイド部に係合することにより、前記係合部を中心として、前記第１のシールド板の外側に位置して、前記押し上げ位置に位置している第１のシールド部材を覆う押し上げ位置と前記帽体の着用者の顔面のほぼ下半分を覆う被覆位置との間で回動する第２のシールド板とを有する保護帽である。
【００１３】
請求項５に記載の発明は、請求項１〜請求項４のいずれか１項に記載の保護帽において、前記シールド部材は、本体部と庇部とを備えて構成されており、前記本体部が、球状に湾曲した板状に形成されており、前記庇部は、前記本体部の下方で本体部とは反対側に曲がって突出している保護帽である。
【発明の効果】
【００１４】
本発明によれば、着用者の顔面のほぼ総てを覆うシールド部材を帽体に設けた保護帽において、大型化や質量が増加することを極力抑制することができるという効果を奏する。
【図面の簡単な説明】
【００１５】
【図１】本発明の第１の実施形態に係る保護帽１の概略構成を示す図である。
【図２】保護帽１の帽体３と汎用の保護帽の帽体２００との外形の違いを示す図である。
【図３】保護帽１の断面図である。
【図４】着用者が保護帽１を被った状態を示す図である。
【図５】内側部材２１の概略構成を示す斜視図である。
【図６】図１におけるＶＩ−ＶＩ断面図である。
【図７】保護帽１の変形例を示す図である。
【図８】図３で示す保護帽３においてシールド板５のみを取り出した図である。
【図９】図８におけるＩＸ−ＩＸ断面を示す図である。
【図１０】シールド板５の断面を示す図であって図９に対応した図である。
【図１１】本発明の第２の実施形態に係る保護帽５１の概略構成を示す図である。
【図１２】保護帽５１の概略構成を示す図である。
【図１３】図１２のＸ部の拡大図である。
【発明を実施するための形態】
【００１６】
［第１の実施形態］
図１は、本発明の第１の実施形態に係る保護帽１の概略構成を示す図であり、図２は、保護帽１の帽体３と汎用の保護帽の帽体２００との外形の違いを示す図であり、図３は、保護帽１の断面図（保護帽１の中心を通り保護帽１の前後上下方向に展開する平面による断面図）である。
【００１７】
図４は、着用者が保護帽１を被った状態を示す図である。図４の（ａ）（ｂ）は、シールド板５を収納位置Ｐ１に位置させた状態を示しており、図４の（ｃ）（ｄ）は、シールド板５を被覆位置Ｐ３に位置させた状態を示している。
【００１８】
保護帽１は、帽体３とシールド板（シールド部材；面体）５とを備えて構成されている。帽体３、シールド板５は、左右対称形成されている。帽体３には、着用者の耳を覆う耳部７が設けられている。また、帽体３は、汎用の帽体２００に対して、帽体３の前側のみが外側に大きくなるように形成した椀状に形成されている。
【００１９】
ここで、汎用の帽体２００とは、シールド板を備えておらず帽体と内装体とで構成された帽体であり、厚生労働省の規格（保護帽の規格）に適合させるべく、たとえば必要最小限後の大きさに形成された保護帽の帽体である。汎用の帽体として、前後方向の長さが２６０ｍｍ〜２８０ｍｍ程度のＭＰヘルメット等の帽体２００（図２参照）を掲げることができる。
【００２０】
帽体３は、半球殻状の形状のものに、板状に形成されている耳部７を付加した椀状に形成されている。耳部７の厚さと帽体３の耳部以外の箇所の厚さとはお互いがほぼ一致している。また、耳部７の厚さ方向は帽体３の左右方向（図１では紙面に直交する方向）になっている。
【００２１】
ここで、半球殻とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。帽体３は、半球殻状に形成されているのであって、完全な半球殻に形成されているわけではない。すなわち、帽体３は、着用者の頭部の形状に合うようにするために、曲率半径が適宜変化している形状に形成されている。
【００２２】
また、帽体３の開口部（淵；下端）９も、完全な円形ではなく、着用者の頭部の形状に合うようにするためや耳部７を設けたことにより、曲率半径等が適宜変化している円形状に形成されている。
【００２３】
帽体３が椀状に形成されていることにより、帽体３の外面および内面は、急な曲がり部分が存在しない滑らかな球面状になっている。さらに、帽体３が半球殻状のものに耳部７を設けた椀状に形成されていることにより、直立している着用者が保護帽１を被った場合、帽体３の前後方向の中央部で、帽体３の耳部７が下側に突出しており、この耳部７で着用者の耳の総てもしくは一部が覆われるようになっている。
【００２４】
シールド板５は、樹脂等の透明な部材で構成されており、着用者の顔面の総てを覆うことができる大きさに形成されている。また、シールド板５は、帽体３の前側の内面（凹な球面状の曲面）に沿った球面状の曲面を備えた板状（湾曲した板状；１／４程度の球殻状）に形成されており、左右方向の両端部に係合部１１が設けられている。帽体３の耳部７にはガイド部１３が形成されており、シールド板５の係合部１１が、ガイド部１３に係合することによって、収納位置Ｐ１と被覆位置Ｐ３との間で、係合部１１の中心軸Ｃ１を中心にして、シールド板５が円弧状の軌跡を描いて回動するようになっている。軸Ｃ１は、耳部７の中央を通って、保護帽１の左右方向（図１の紙面に直交する方向）に延びている軸である。
【００２５】
ここで、収納位置Ｐ１は、シールド板５が帽体３の前側内部に収納されたときの位置であり、被覆位置Ｐ３は、シールド板５が帽体３の着用者の顔面（頭部の前面）のほぼ総てを覆う位置である。
【００２６】
ガイド部１３は、たとえば、帽体３の耳部７を貫通する円形の貫通孔１５で構成されており、係合部１１は、シールド板５の側方（幅方向の両側）の下部でシールド板５の外側に僅かに突出している円柱状の突起（外径が貫通孔よりも僅かに小さい突起）１７で構成されている。そして、各突起１７が各貫通孔１５に嵌合していることにより（図１におけるＶＩ−ＶＩ断面を示す図である図６参照）、シールド板５が前記回動をするようになっている。
【００２７】
収納位置Ｐ１にシールド板５が位置している状態について詳しく説明すると、この状態で、シールド板５が帽体３の内部に完全に収容されているわけではなく、シールド板５の下端部（庇１９が設けられている下端部）とこの近傍の部位が、帽体３の前側で帽体３の下端部（帽体３前側の開口部）９から下方に突出している。ただし、この下方に突出している部位が、着用者の邪魔になることはなく、着用者は、シールド板５の存在をその視界で意識することなく保護帽１を被ることができるようになっている。
【００２８】
庇（庇部）１９は、シールド板５の下端部で反転している。すなわち、庇１９は、逆方向（着用者の顔面から離れる方向）に曲がって延出している。これにより、飛来物がシールド板（被覆位置Ｐ３にあるシールド板）５にあたっても、飛来物がシールド板５の表面を滑って、着用者の体に接触する事態を回避することができる。
【００２９】
また、シールド板５の上端部は、帽体３の頂上部付近に位置している。なお、シールド板５の庇１９を削除し、収納位置Ｐ１にシールド板５が位置している状態において、シールド板５が帽体３の内部に完全に収容される構成であってもよい。
【００３０】
被覆位置Ｐ３にシールド板５が位置している状態では、シールド板５の下端部が、着用者の顎よりも下側に位置して、シールド板５が着用者の顔面のほぼ総てを覆っている（図４（ｃ）（ｄ）参照）。すなわち、正面から見た場合、シールド板５によって、着用者の顔面の総てが覆われている。なお、シールド板５の上端部は、帽体３の下端部（帽体３の前側の淵）の近傍で帽体３の内部に位置している。
【００３１】
また、保護帽１には、左右対称に形成されている内側部材２１が設けられている。内側部材２１は、帽体３の前側内部で帽体３に一体的に設けられている。
【００３２】
内側部材２１は、図３や図５（内側部材２１の概略構成を示す斜視図）で示すように、中央部位２３と起立部位２５と突出部位２７とを備えて構成されている。中央部位２３は、帽体３の前側内面（凹な球面状に形成された帽体３内側の曲面）に沿った球面状の曲面を備えた板状（湾曲した板状；１／４程度のサイズの球殻状）に形成されている。
【００３３】
起立部位２５は、板状で「Ｕ」字状に形成されており、中央部位２３の後端部から、中央部位２３の外方向に（凸方向に）所定の高さで起立している。突出部位２７は、板状で「Ｕ」字状に形成されており、起立部位２５から、後方に所定の幅で突き出ている。
【００３４】
そして、突出部位２７の厚さ方向の一方の面（外側の凸な面）が帽体３の内面（凹な面）に係合（面接触）することにより、内側部材２１が、帽体３の前側内部で帽体３に一体的に設けられている。なお、突出部位２７が面接触している帽体３内部の面は、この幅が帽体３の前後方向になるようにして、帽体３の前後方向の中央部で、帽体３の左側から始まり帽体３の頂上部を通って帽体の右側まで、「Ｕ」字状に延びている。
【００３５】
内側部材２１を帽体３に設置したときには、保護帽１の前側では、外側に帽体３、内側に内側部材２１が位置した二重構造になっており、シールド板５は、帽体３と内側部材２１とで形成された空間内（帽体３と中央部位２３および起立部位２５とで形成された空間内）に入り込んで、収納位置Ｐ１に位置し、帽体３内に収納されるようになっている。
【００３６】
内側部材２１を帽体３に設置したとき、図３で示すように、内側部材２１における円弧状の中央部位２３の中心と、円弧状のシールド板５の中心と、円弧状の帽体３の中心と、シールド板５の回動中心Ｃ１とは、お互いがほぼ一致している。また、帽体３の曲率半径がシールド板５の曲率半径よりも大きくなっており、シールド板５の曲率半径が内側部材２１の中央部位２３の曲率半径よりも大きくなっている。
【００３７】
また、保護帽１には、シールド板５を保持する保持手段２９が設けられている。保持手段２９は、シールド板５が収納位置Ｐ１や被覆位置Ｐ３に位置しているときに、シールド板５が帽体３に対して容易に回動しないように、シールド板５を保持する手段である。
【００３８】
保持手段２９は、たとえば、図３に示すような各突起３１，３３，３５，３７を備えて構成されている。突起３１は、半球状に形成されており、シールド板５の前後方向では後端部で、シールド板５の幅方向では中央部で、シールド板５の内面（凹な面）に一体的に設けられている。突起３３は、半球状に形成されており、内側部材２１の前後方向では中央部位２３の後端部の近傍で、内側部材２１の幅方向では中央部で、内側部材２１の外面（凸な面）に一体的に設けられている。突起３５は、１／４の球状に形成されており、１つの平面３５Ａが内側部材２１の後方（上方）を向くようにして、内側部材２１の前後方向では中央部位２３の前端部で、内側部材２１の幅方向では中央部で、内側部材２１の外面（凸な面）に一体的に設けられている。突起３５の高さは、他の突起３１，３３，３７の高さよりも高くなっている。突起３７は、半球状に形成されており、内側部材２１の前後方向では突起３５よりも僅かに後方（上方）で、内側部材２１の幅方向では中央部で、内側部材２１の外面（凸な面）に一体的に設けられている。
【００３９】
そして、図３で示すように、シールド板５が収納位置Ｐ１に位置している状態では、シールド板５の突起３１が、内側部材２１の突起３３と内側部材２１の起立部位２５とで挟まれて、シールド板５が容易には回動しないようになっている。収納位置Ｐ１に位置しているシールド板５を被覆位置Ｐ３に位置させるべく、シールド板５を図３に示す矢印の方向に回動させると、突起３１が突起３３を乗り越えてシールド板５が回動し突起３７を乗り越えたときにシールド板５が被覆位置Ｐ３に位置すると共に、突起３１が突起３７と突起３５とで挟まれて、シールド板５が容易には回動しないようになっている。
【００４０】
なお、突起３５が平面３５Ａを備えており、また、突起３５高さが高くなっていることにより、被覆位置Ｐ３に位置しているシールド板５（突起３７と突起３５とで挟まれている突起３１）は、それ以上、図３に示す矢印の方向には、回動しないようになっている。
【００４１】
ところで、保護帽１には、図示しない内装体（たとえばハンモック）が設けられおり、帽体３や内側部材２１には、ハンモックを係止するための複数の係止部３９が設けられている。各係止部３９のうちで後側に位置している各係止部３９Ａは、帽体３の内面に一体的に設けられており、各係止部３９のうちで前側に位置している各係止部３９Ｂは、内側部材２１の内面に一体的に設けられている。
【００４２】
ここで、シールド板５についてさらに詳しく説明する。
【００４３】
図８は、図３で示す保護帽３においてシールド板５のみを取り出した図であり、図９は、図８におけるＩＸ−ＩＸ断面を示す図である。
【００４４】
シールド板５は、前述したように、着用者の頭部を保護する帽体３に設置されて着用者の顔面のたとえばほぼ総てを覆うものであり、透明体もしくは半透明体で湾曲した板状に形成されている。
【００４５】
シールド板５は、厚さ方向の一方の側が凹状で厚さ方向の他方の側が凸状である湾曲した板状に形成されている。そして、中央部から周辺部に向かうにしたがって、厚さが徐々に薄くなっている（図１５、図１６参照）。なお、シールド板５は、たとえば、アクリルやポリカーボネイト等の樹脂で構成されており、射出成形で成形されている。また、シールド板５は、ＡＮＳＩ規格に応じて、１．６ｍｍ〜２．０ｍｍ程度の厚さで形成されており、高速衝撃試験を施しても割れないようになっている。
【００４６】
シールド板５が湾曲した板状に形成されていることにより、着用者の顔面側であるシールド板５の内側の面（厚さ方向の一方の面）が凹状に形成されており、厚さ方向の他方の面である外側の面が凸状に形成されている。また、シールド板５は、左右方向の曲率半径が上下方向の曲率半径よりも小さく形成されており、左右方向における厚さの変化の割合が、上下方向における厚さの変化の割合よりも大きく形成されている（図８、図９参照）。
【００４７】
さらに、シールド板５は、本体部２０と庇部１９とを備えて構成されており、本体部２０が、湾曲した板状に形成されている。シールド板５の本体部２０の凸面（凹面）は、球状の３次曲面に定形状に形成されている。
【００４８】
着用者が保護帽１を被ってシールド板４で顔を覆ったとき、庇部１９は、本体部２０の下方で本体部２０とは反対側に曲がって突出している。
【００４９】
より詳しく説明すると、図４（ｃ）で示すように、直立している着用者が帽体３を被りシールド板５で着用者の顔面を覆ったとき、庇部１９は、この上端（本体部２０側の端）から下端に向かうにしたがって、着用者の顔面から離れる方向（前方）に突出している。
【００５０】
次に、保護帽１を着用してシールド板５を出入りさせる動作について説明する。
【００５１】
まず、シールド板５が収納位置Ｐ１に位置している状態で、着用者が保護帽１を被る。シールド板５を被覆位置Ｐ３に位置させて作業をする必要がある場合には、シールド板５の下端部（たとえば庇１９）を下方向に引っ張れば、シールド板５が回動し、シールド板５が被覆位置Ｐ３に位置する。
【００５２】
一方、被覆位置Ｐ３に位置しているシールド板５を、収納位置Ｐ１に位置させる場合には、シールド板５を上方に押すと、シールド板５が回動し、シールド板５が収納位置Ｐ１に位置する。
【００５３】
ところで、保護帽１において、シールド板５の回動中心Ｃ１の位置を調整自在に構成してもよい。すなわち、図７に示すように、貫通孔１５と同様な複数の貫通孔１５ａ〜１５ｉを耳部７に設け、これらの各貫通孔１５ａ〜１５ｉのうちの１つの貫通孔（実際には、左右方向で２つの貫通孔）を選択し、この選択した貫通孔（たとえば、貫通孔１５ｂ）に、シールド板５の突起１７を嵌合させるようにしてもよい。なお、各貫通孔１５ａ〜１５ｉは、お互いが僅かに離れており、たとえば、貫通孔１５ａを中心とした円周をほぼ等分配する位置に、各貫通孔１５ｂ〜１５ｉが設けられている。
【００５４】
保護帽１によれば、帽体３の前側のみを大きくしてあると共に、シールド板５が軸Ｃ１を中心にして円弧状の軌跡を描いて移動するようになっているので、着用者の顔面のほぼ総てを覆えるようにシールド板を大きくしても、シールド板５を帽体３の内部に収納することができると共に、帽体３や保護帽１の全体が大型化し質量が増加することを、極力抑制することができる。また、帽体３が椀状に形成されているので、帽体３の外側（凸側）や内側の面が滑らかに曲がっており、帽体３の剛性が高くなっている。
【００５５】
また、保護帽１において、シールド板５の回動中心Ｃ１の位置を調整自在に構成すれば、帽体３に対するシールド板５の位置（特に、被覆位置Ｐ３におけるシールド板５の位置）を、着用者の頭や顔の形態に応じて調節することができ、着用者がうっとおしさを感じにくくなり、保護帽の使い勝手が向上する。
【００５６】
また、保護帽１によれば、シールド板５が、帽体３と中央部位２３および起立部位２５とで形成される空間内に入り込んで、帽体３内に収納されるように構成されているので、内装体（ハンモック）を係止する係止部３９Ｂを、シールド板５との干渉を避けて、設けることが容易になっている。
【００５７】
さらに、保護帽１によれば、シールド板５が、この中央部から周辺部に向かうにしたがって、厚さが徐々に薄くなっている構成であるので、着用者がシールド板５を介して正面を見た場合における光路長（シールド板内における光路長）と、着用者がシールド板５を介して周辺を見た場合とにおける光路長（シールド板内における光路長）との差を小さくすることができ、着用者がシールド板５の周辺部を介してものを見たときであっても、像の歪みを極力少なくすることができる。
【００５８】
すなわち、図１０（シールド板５の断面を示す図であって図９に対応した図）に示すように、シールド板５における光路長Ｌ１１と光路長Ｌ２１との差が小さくなっており、光路長Ｌ１１と光路長Ｌ３１との差が小さくなっているので、像の歪みを極力少なくすることができる。
【００５９】
ここで、図１０に示す参照符号Ｆ０は、本実施形態に係るシールド板５の外側の面（凸面）を示しており、参照符号Ｆ１は、本実施形態に係るシールド板５の内側の面（凹面）を示している。これにより、本実施形態に係るシールド板５の厚さが、中央部から周辺部に向かうにしたがって、徐々に薄くなっている。一方、参照符号Ｆ０は、従来のシールド板の外側の面を示しており、参照符号Ｆ２は、従来のシールド板の内側の面を示しており、これにより、従来のシールド板の厚さは一定になっている。
【００６０】
参照符号Ｒ１は、正面から着用者の目ＥＹに入る光の光路を示しており、参照符号Ｒ２、Ｒ２ａは、側面側（シールド板の周辺部）から着用者の目ＥＹに入る光の光路を示しており、参照符号Ｒ３、Ｒ３ａは、さらなる側面側から着用者の目ＥＹに入る光の光路を示している。
【００６１】
正面から着用者の目ＥＹに入る光（光路Ｒ１の光）のシールド板５における光路長（本実施形態に係るシールド板５における光路長）Ｌ１１と光路長（従来のシールド板における光路長）Ｌ１２とは、お互いの長さが等しくなっている。
【００６２】
一方、空気の屈折率に比べてシールド板の屈折率が大きいので、スネルの法則により、側面側から着用者の目ＥＹに入る光（光路Ｒ２、Ｒ２ａの光）のシールド板における光路長（従来のシールド板における光路長）Ｌ２２に比べて、光路長（本実施形態に係るシールド板５における光路長）Ｌ２１が短くなっており、光路長Ｌ２１の長さは、光路長Ｌ１１の長さとほぼ等しくなっている。同様にして、光路長Ｌ３２に比べて、光路長Ｌ３１が短くなっており、光路長Ｌ３１の長さは、光路長Ｌ１１の長さとほぼ等しくなっている。これにより、像の歪みを極力少なくすることができるようになっている。
【００６３】
また、保護帽１によれば、シールド板５の左右方向における曲率半径が上下方向における曲率半径よりも小さく形成されており、左右方向における厚さの変化の割合が、上下方向における厚さの変化の割合よりも大きく形成されているので、着用者の顔面形態に合わせて、着用者がシールド板５の周辺部を介してものを見るときにおける像の歪みを極力少なくすることができる。
【００６４】
すなわち、シールド板５の上下方向の曲率半径が左右方向の曲率半径よりも大きく形成されているので、着用者の顔面の形状に適合して着用者の顔面を覆うことができる。また、シールド板５の上下方向の曲率半径が左右方向の曲率半径よりも大きくなっているので、シールド板５の上下方向における厚さの変化の割合を左右方向における厚さの変化の割合より小さくして、像の歪みを極力少なくしている。
【００６５】
［第２の実施形態］
図１１、図１２は、本発明の第２の実施形態に係る保護帽５１の概略構成を示す図であり、図１３は、図１２のＸ部の拡大図である。
【００６６】
第２の実施形態に係る保護帽５１は、シールド板を２つに分けて、帽体５３の外側に設置した点が、第１の実施形態に係る保護帽１と異なり、その他の点は、第１の実施形態に係る保護帽１とほぼ同様に構成されている。
【００６７】
すなわち、保護帽５１は、帽体５３と、第１のシールド板５５と第２のシールド板５７とを備えて構成されている。
【００６８】
帽体５３は、耳を覆う耳部５９が設けられて椀状に形成されている。さらに説明すると、椀状の帽体５３は、耳部５９を除けば、シールド板を備えていない汎用の帽体（前述した汎用の帽体）と同形状に形成されている。
【００６９】
第１のシールド板５５は、帽体５３の前側の外面（凸な球面状に形成された帽体５３の外側の曲面）に沿った曲面（曲率半径が帽体５３の前側曲面の曲率半径よりも大きい球面状の曲面）を備えた板状（湾曲した板状；１／８程度の球殻状）に形成されている。第１のシールド板５５の幅方向の両側には、たとえば円形状の貫通孔６１で構成された係合部６３が形成されている。この係合部６３が、たとえば帽体５３の幅方向の両端で帽体５３の外面から突出している円柱状の突起６５で構成されたガイド部６７に係合している。そして、第１のシールド板５５が、係合部６３を中心にし押し上げ位置Ｐ５と被覆位置Ｐ７との間で、円弧状の軌跡を描いて回動するようになっている。
【００７０】
なお、押し上げ位置Ｐ５は、第１のシールド板５５が帽体５３の前側の外部に押し上げられたときの位置であり、被覆位置Ｐ７は、第１のシールド板５５が帽体５３の着用者の顔面（頭部の前面）のほぼ上半分を覆う位置である。
【００７１】
第２のシールド板５７は、帽体５３の前側の外面（凸な球面状に形成された帽体５３の外側の曲面）に沿った曲面（曲率半径が第１のシールド板５５の曲率半径よりも大きい球面状の曲面）を備えた板状（湾曲した板状；１／８程度の球殻状）に形成されている。第２のシールド板５７の幅方向の両側にも、第１のシールド板５５と同様にして貫通孔６１（係合部６３）が形成されており、この貫通孔６１が突起６５（ガイド部６７）に係合している。そして、第２のシールド板５７が、第１のシールド板５５の外側に位置して（特に、被覆位置Ｐ１１に位置しているときに、押し上げ位置Ｐ５に位置している第１のシールド板５５の外側で第１のシールド板５５を覆って）、係合部６３を中心にし押し上げ位置Ｐ９と被覆位置Ｐ１１との間で、円弧状の軌跡を描いて回動するようになっている。
【００７２】
なお、押し上げ位置Ｐ９は、第２のシールド板５７が帽体５３（第１のシールド板５５）の前側の外部に押し上げられたときの位置であり、被覆位置Ｐ１１は、第２のシールド板５７が帽体５３の着用者の顔面（頭部の前面）のほぼ下半分を覆う位置である。
【００７３】
また、被覆位置Ｐ５に位置している第１のシールド板５５は、この上端部の部位が帽体５３の庇６０に当接して、それ以上、下方に移動しないようになっている。また、被覆位置Ｐ１１に位置している第２のシールド板５７は、この第２のシールド板５７に設けられているストッパ６９が、第１のシールド板５５に設けられているストッパ７１に当接して、それ以上、下方に移動しないようになっている。
【００７４】
なお、ストッパ６９は、第２のシールド板５７の上端部で第２のシールド板５７の内側に折り曲げられた折り曲げ部で形成されている。ストッパ７１は、第１のシールド板５５の下端部で第１のシールド板５５の外側に折り曲げられた折り曲げ部で形成されている。
【００７５】
保護帽５１によれば、各シールド板５５，５７が押し上げ位置Ｐ５，Ｐ９に位置している状態では、着用者の目の部分を主に覆う第１のシールド板５５の外側に第２のシールド板５７が位置して第１のシールド板５５を覆っているので、第１のシールド板５５に傷がつきにくくなっている。すなわち、たとえば、保護帽５１の着用者が各シールド板５５，５７を使用していないときに、不注意で第２のシールド板５７を障害物にぶつけたとしても、第１のシールド板５５に傷がつくことを防ぐことができる。
【００７６】
これにより、保護帽５１の着用者が各シールド板５５，５７を使用するときに、着用者の主に目の部分を覆う第１のシールド板５５が傷ついておらず、良好な視界を確保することができる。
【００７７】
ところで、上記各実施形態において、シールド板の位置を、内外で逆にしてもよい。すなわち、第１の実施形態において、第２の実施形態のように、帽体を汎用のものとほぼ同じにし、シールド板が帽体の外側に位置するようにしてもよいし、また、第２の実施形態において、第１の実施形態のように、帽体の前側を汎用のものよりも大きくして、シールド板が帽体の外側に設置するようにしてもよい。
【００７８】
さらに、シールド板５５が、シールド板５と同様にして、この中央部から周辺部に向かうにしたがって、厚さが徐々に薄くなっている構成であってもよい。
【符号の説明】
【００７９】
１、５１  保護帽
３、５３  帽体
５、５５、５７  シールド板
７、５９  耳部
１１、６３  係合部
１３、６７  ガイド部
１９  庇部
２１  内側部材
【図１】
2010163726.tif 000003
【図２】
2010163726.tif 000004
【図３】
2010163726.tif 000005
【図４】
2010163726.tif 000006
【図５】
2010163726.tif 000007
【図６】
2010163726.tif 000008
【図７】
2010163726.tif 000009
【図８】
2010163726.tif 000010
【図９】
2010163726.tif 000011
【図１０】
2010163726.tif 000012
【図１１】
2010163726.tif 000013
【図１２】
2010163726.tif 000014
【図１３】
2010163726.tif 000015